(57)【特許請求の範囲】
【請求項１】
筐体に取り付けられる筐体側取付部材と、上記筐体の開口部を開閉する扉に取り付けられる扉側取付部材と、それぞれの基端部が上記筐体側取付部材に回動可能に連結されるとともに、それぞれの先端部が上記扉側取付部材に回動可能に連結されることにより、上記扉を、上記開口部を閉じた閉位置と上記開口部を開いた開位置との間で移動させる第１、第２リンクとを備えた扉開閉装置において、
上記筐体側取付部材、上記扉側取付部材、上記第１リンク及び上記第２リンクのいずれか一つにダンパを設け、このダンパが設けられた部材以外の三つの部材のうちのいずれか一つに、上記扉が上記開位置側から上記閉位置側へ移動して上記閉位置の所定距離だけ手前に達したときに上記ダンパに突き当たることによって上記扉の閉位置までの移動速度を低速に抑える第１当接部を設け、上記ダンパが設けられた部材以外の三つの部材のうちのいずれか一つに、上記扉が上記閉位置側から上記開位置側へ移動して上記開位置の所定距離だけ手前に達したときに上記ダンパに突き当たって上記扉の開位置までの移動速度を低速に抑える第２当接部を設けたことを特徴とする扉開閉装置。
【請求項２】
上記ダンパが上記第１リンクに設けられ、上記第１当接部が上記筐体側取付部材に設けられ、上記第２当接部が上記第２リンクに設けられていることを特徴とする請求項１に記載の扉開閉装置。
【発明の詳細な説明】
【技術分野】
【０００１】
この発明は、キャビネットや吊り戸棚等の扉を有する家具に用いられる扉開閉装置に関する。
【背景技術】
【０００２】
一般に、この種の扉開閉装置は、下記特許文献１に記載されているように、筐体に取り付けられる筐体側取付部材と、筐体の開口部を開閉する扉に取り付けられる扉側取付部材と、それぞれの基端部が筐体側取付部材に回動可能に連結され、それぞれの先端部が扉側取付部材に回動可能に連結された第１、第２リンクとを有している。そして、第１、第２リンクが回動することにより、扉を閉位置と開位置との間において移動させるようになっている。
【０００３】
【特許文献１】特開２００５−１３３３３０号公報
【発明の開示】
【発明が解決しようとする課題】
【０００４】
上記扉開閉装置においては、扉が筐体の前面に突き当たることによって扉の閉位置が定められ、第１リンクが筐体に突き当たることによって扉の開位置が定められていた。このため、扉が閉位置や開位置に移動する毎に衝突による衝撃や衝撃音が発生するという問題があった。
【０００５】
そこで、本出願の発明者は、筐体と扉との間、及び筐体と第１リンクとの間にそれぞれダンパ機構を設け、扉が開位置側から閉位置に回動するとき、及び閉位置側から開位置に回動するときに発生する衝撃及び衝撃音を緩和するようにした。ところが、二つのダンパ機構を設けると、製造費が嵩むという問題が生じてしまう。
【課題を解決するための手段】
【０００６】
この発明は、上記の問題を解決するために、筐体に取り付けられる筐体側取付部材と、上記筐体の開口部を開閉する扉に取り付けられる扉側取付部材と、それぞれの基端部が上記筐体側取付部材に回動可能に連結されるとともに、それぞれの先端部が上記扉側取付部材に回動可能に連結されることにより、上記扉を、上記開口部を閉じた閉位置と上記開口部を開いた開位置との間で移動させる第１、第２リンクとを備えた扉開閉装置において、上記筐体側取付部材、上記扉側取付部材、上記第１リンク及び上記第２リンクのいずれか一つにダンパを設け、このダンパが設けられた部材以外の三つの部材のうちのいずれか一つに、上記扉が上記開位置側から上記閉位置側へ移動して上記閉位置の所定距離だけ手前に達したときに上記ダンパに突き当たることによって上記扉の閉位置までの移動速度を低速に抑える第１当接部を設け、上記ダンパが設けられた部材以外の三つの部材のうちのいずれか一つに、上記扉が上記閉位置側から上記開位置側へ移動して上記開位置の所定距離だけ手前に達したときに上記ダンパに突き当たって上記扉の開位置までの移動速度を低速に抑える第２当接部を設けたことを特徴としている。
この場合、上記ダンパが上記第１リンクに設けられ、上記第１当接部が上記筐体側取付部材に設けられ、上記第２当接部が上記第２リンクに設けられていることが望ましい。
【発明の効果】
【０００７】
上記特徴構成を有するこの発明によれば、扉の閉位置近傍での閉移動速度及び開位置近傍での開移動速度をダンパで低速に抑えることができる。したがって、扉が閉位置又は開位置に達するときに発生する衝撃及び衝撃音を緩和することができる。しかも、閉移動速度及び開移動速度を一つのダンパだけで低速に抑えることができるから、製造費の高騰を防止することができる。
【発明を実施するための最良の形態】
【０００８】
以下、この発明を実施するための最良の形態を、図面を参照して説明する。
添付の図１〜図１２は、収容装置１を示す。この収容装置１は、図１〜図６に示すように、筐体２、扉３及びこの発明に係る扉開閉装置４を備えている。
【０００９】
筐体２は、上下に長い直方体の箱状をなしており、その前面２ａに開口部２ｂが形成されている。扉３は、平板状をなしており、その左右の幅及び上下の長さは、筺体２の前面２ａの幅及び長さとほぼ同一になっている。扉３は、扉開閉装置４を介して筐体２に図１に示す閉位置と図５に示す開位置との間を移動可能に連結されている。扉３は、閉位置に位置しているときには、図１に示すように、筺体２の前２ａ面に沿って上下に起立した状態になっており、その背面３ａを筐体２の前面２ａと対向させることによって筐体２の開口部２ｂを閉じている。扉３は、開位置に位置しているときには、図５に示すように、扉３全体が筐体２の上下方向の中央より上端側（一端側）に位置している。これにより、扉３は、それより下側（他端側）の開口部２ｂを開いている。しかも、扉３は、開位置に位置しているときには、筐体２の下端側から上端側へ向かうにしたがって前面２ａから前方へ離間するように傾斜させられている。
【００１０】
扉開閉装置４は、扉３を閉位置から開位置まで上記のように移動させるためのものであり、筐体２と扉３との左右両側部間にそれぞれ一つずつ設けられている。左右に設けられた二つの扉開閉装置４，４は、左右対称に構成されているので、一方の扉開閉装置についてのみ説明する。扉開閉装置４は、筐体側取付部材４１、扉側取付部材４２、第１リンク４３及び第２リンク４４を有している。
【００１１】
筐体側取付部材４１は、金属製の板材からなるものであり、筐体２の左右いずれか一方の内側面に、それも開口部２ｂに近接した箇所に取り付けられている。
【００１２】
筐体側取付部材４１には、第１、第２リンク４３，４４の一端部（以下、基端部と称し、第１、第２リンク４３，４４の他端部を先端部と称する。）が軸線を左右方向に向けた水平な第１、第２回動軸４５，４６を介してそれぞれ回動可能に連結されている。第１、第２リンク４３，４４の先端部は、扉側取付部材４２に第１、第２回動軸４５，４６と平行な第３、第４回動軸４７，４８を介して回動可能に連結されている。したがって、筐体側取付部材４１、扉側取付部材４２及び第１、第２リンク４３，４４によって四節リンク機構Ｒが構成されている。勿論、この四節リンク機構Ｒは、筐体２に固定された筐体側取付部材４１を固定系としている。
【００１３】
扉側取付部材４２は、扉３の背面３ａに連結具６を介して着脱可能に取り付けられている。連結具６は、この種の扉開閉装置、スライドヒンジ等に用いられる公知のものであり、この発明の要旨でもないのでその詳細な説明は省略するが、扉側取付部材４２の扉に対する取付位置を上下左右及び前後方向へ微調節することができるように構成されている。これにより、筐体２に対する扉３の上下左右及び前後方向の位置を微調節することができるようになっている。
【００１４】
筐体側取付部材４１と第１リンク４３との間には、ガススプリング７が設けられている。ガススプリング７の一端部は、筐体側取付部材４１に第１回動軸４５と平行な軸４９を介して回動可能に連結されている。ガススプリング７の他端部は、第１リンク４３に設けられた可動部材８に軸４９と平行な軸５０を介して回動可能に連結されている。ガススプリング７は、扉３が閉位置とそこから所定の距離だけ開位置側へ移動した所定の中立位置との間に位置しているときには、第１リンク４３を図１において時計方向へ回動付勢し、ひいては扉３を開位置側から閉位置側へ付勢する。しかも、閉位置と中立位置との間では、扉３がその自重によって開位置側から閉位置側へ移動しようとする。したがって、扉３は、閉位置と中立位置との間に位置すると閉位置まで自動的に移動する。
【００１５】
扉３が中立位置に位置すると、軸４９，５０及び第１回動軸４５が一直線上に並ぶ。このため、ガススプリング７の付勢力が第１リンク４３に対して回動付勢力として作用することがない。扉３が中立位置を閉位置側から開位置側へ向かって越えると、ガススプリング７は、第１リンク４３を図２において反時計方向へ回動付勢し、扉３を開位置側へ付勢する。ここで、扉３を開位置側へ付勢するガススプリング７の付勢力は、扉３が中立位置から開位置に向かって所定の平衡位置に達するまでの間は、扉３をその自重によって閉位置側へ移動させようとする力より弱い。したがって、扉３は平衡位置までは手動で開位置側へ移動させる必要がある。一方、扉３が平衡位置を閉位置側から開位置側へ越えると、扉３を開位置側へ付勢するガススプリング７の付勢力が、扉３の自重による閉位置側への力より強くなる。したがって、扉３は平衡位置を越えると開位置まで自動的に移動する。
【００１６】
なお、可動部材８は、第１回動軸４５と軸５０とを結ぶ方向へ位置調節可能であり、可動部材８の位置を調節することにより、ガススプリング７の第１リンク４３に対する回動付勢力を調節し、ひいては扉３を閉位置側から開位置側へ付勢する付勢力を調節することができる。
【００１７】
ガススプリング７は、筐体側取付部材４１と第２リンク４４との間に設けてもよい。また、ガススプリング７に代えて引っ張りコイルばねや圧縮コイルばね等の他の付勢手段を用いてもよい。
【００１８】
図９に示すように、第１回動軸４５と第２回動軸４６とには、補強板９の両端部がそれぞれ取り付けられている。この補強板９によって筺体側取付部材４１が補強されている。図１１に示すように、筺体側取付部材４１には、化粧カバー１０が取り付けられている。この取付カバー１０により、筺体側取付部材４１、第１、第２リンク４３，４４の基端部、ガススプリング７及び補強板９が外部からできる限り見えないように遮蔽されている。
【００１９】
扉３の下端部には、位置決め部材３１が設けられている。この位置決め部材３１は、扉３が開位置側から閉位置に移動すると、筐体２に設けられたストッパ（図示せず）に突き当たる。これによって、扉３の閉位置が定められている。その一方、位置決め部材３１は、図５に示すように、扉３が閉位置側から開位置に移動すると、第２リンク４４に突き当たる。これによって、扉３の開位置が定められている。
【００２０】
位置決め部材３１は、筐体側取付部材４１、扉側取付部材４２、第１リンク４３及び第２リンク４４のいずれか任意の一つに設けてもよい。その場合には、位置決め部材３１が、筐体側取付部材４１、扉側取付部材４２、第１リンク４３及び第２リンク４４のうちの残りの三つの任意の一つに突き当たることによって扉３の閉位置が定められ、さらに残りの二つの一方に突き当たることによって扉３の開位置が定められる。位置決め部材３１を扉開閉装置４に設けた場合には、扉開閉装置４だけで、つまり扉開閉装置を筐体２と扉３との間に設ける前に扉３の移動距離を予め知ることができる。
【００２１】
図１２に示すように、第１リンク４３には、ブラケット１１が固定されており、このブラケット１１にはダンパ機構（ダンパ）１２が設けられている。このダンパ機構１２は、シリンダ１２ａと、このシリンダ１２ａに基端部がその軸線方向へ移動可能に収容され、先端部がシリンダ１２ａから突出したロッド１２ｂとを有している。ダンパ機構１２は、ロッド１２ｂがシリンダ１２ａ内に入り込む方向へ相対移動するときには、その移動速度を低速に抑える機能を有している。シリンダ１２ａ内に入り込むように相対移動したロッド１２ｂは、シリンダ機構１２内に設けられたコイルバネ等の付勢手段によって元の初期位置まで戻される。ダンパ機構１２に代えて周知の他のダンパ機構を用いてもよい。
【００２２】
ダンパ機構１２のシリンダ１２ａは、ブラケット１１に軸線方向へ移動可能に設けられている。一方、ロッド１２ｂは、ブラケット１１に位置固定されている。したがって、ダンパ機構１２においては、実際には、シリンダ１２ａがロッド１２ｂに対して移動する。図１に示すように、扉３が開位置側から閉位置側へ移動して閉位置から所定の距離だけ手前の位置に達すると、シリンダ１２ａが筐体側取付部材４１に設けられた第１当接部４１ａに突き当たる。この結果、ロッド１２ｂがシリンダ１２ａ内に相対的に入り込むようにシリンダ１２ａが移動する。したがって、シリンダ１２ａが第１当接部４１ａに突き当たってから扉３が閉位置に達するまでの間は、扉３の閉位置側への移動速度が低速に抑えられる。よって、位置決め部材３１が筐体２のストッパに高速で衝突することがなく、衝突による衝撃の発生を防止することができる。また、図４に示すように、扉３が閉位置側から開位置側へ移動して開位置から所定の距離だけ手前の位置に達すると、シリンダ１２ａが第２リンク４４に設けられた第２当接部４４ａ（図７〜図１０参照）に突き当たる。この結果、ロッド１２ｂがシリンダ１２ａ内に相対的に入り込むようにシリンダ１２ａが移動する。したがって、シリンダ１２ａが第２当接部４４ａに突き当たってから扉３が開位置に達するまでは、扉３の開位置側への移動速度が低速に抑えられる。よって、位置決め部材３１が第２リンク４４に高速で衝突することがなく、衝突による衝撃の発生を防止することができる。
【００２３】
ダンパ機構１２は、第１リンク４３に設けることなく、筐体側取付部材４１、扉側取付部材４２及び第２リンク４４のうちの任意の一つに設けてもよい。その場合には、筐体側取付部材４１、扉側取付部材４２及び第２リンク４４のうちの残りの二つと第１リンク４３との三つの部材（ダンパが設けられた部材以外の三つの部材）の一つに第１当接部を設け、残りの二つの部材（ダンパ機構及び第１当接部がそれぞれ設けられた二つの部材以外の二つの部材）の一つに第２当接部を設ける。また、筐体側取付部材４１、扉側取付部材４２、第１リンク４３及び第２リンク４４のうちのいずれか一つにダンパ機構を設け、ダンパ機構が設けられた部材以外の三つの部材のいずれか一つに第１及び第２当接部を設けることも可能である。例えば、第２リンク４４にダンパ機構を設ける場合には、図１及び図５から明らかなように、第１リンク４３に第１及び第２当接部を設けることができる。この場合、第１当接部を第２当接部として兼用されるように設計することも可能である。
【００２４】
また、ダンパ機構１２は、シリンダ１２ａをブラケット１１に固定し、ロッド１２ｂを第１、第２当接部４１ａ，４４ａに突き当てるようにしてもよい。
【００２５】
筐体側取付部材４１、扉側取付部材４２、第１リンク４３及び第２リンク４４からなる四節リンク機構Ｒは、次の構成を有している。すなわち、第１回動軸４５は、第２回動軸４６より上方に配置されており、第３回動軸４７は、扉３の位置に拘わらず第４回動軸４８より上方に位置するように配置されている。これにより、扉３の位置に拘わらず、第１リンク４３が常時第２リンク４４より上方に位置するようになっている。しかも、第１、第２回動軸４５，４６が、筐体２の上下方向における中央より上端側に配置されるとともに、第３、第４回動軸４７，４８が、閉位置に位置している扉３の上下方向の中央より下側に配置されている。これにより、第１回動軸４５と第３回動軸４７との間の距離、及び第２回動軸４６と第４回動軸４８との間の距離を短くした上で、扉３が開位置に位置したときに扉３の下端部をできる限り上方に位置させることができるようにしている。
【００２６】
また、四節リンク機構Ｒは、扉３が閉位置から開位置まで移動する間に、第３回動軸４７が常時第４回動軸４８より上方に位置し、かつ第３回動軸４７が第４回動軸４８より前方へ大きく移動するという条件を満たすように構成されている。このような条件を満たすために、四節リンク機構Ｒとして、平行リンクを除く四節リンク機構が採用されている。つまり、図１に示すように、第１回動軸４５と第２回動軸４６との間の中心間距離を第１軸間距離Ｌ１とし、第１回動軸４５と第３回動軸４７との間の中心間距離を第２軸間距離Ｌ２とし、第２回動軸４６と第４回動軸４８との間の中心間距離を第３軸間距離Ｌ３とし、第３回動軸４７と第４回動軸４８との間の中心間距離を第４軸間距離Ｌ４としたとき、
Ｌ１≠Ｌ４
Ｌ２≠Ｌ３
のいずれかを満たすように第１〜第４軸間距離Ｌ１〜Ｌ４が定められている。
【００２７】
さらに、この実施の形態では、四節リンク機構Ｒが次の条件を満たすように構成されている。
Ｌ１＞Ｌ４
Ｌ２＞Ｌ３
Ｌ１＋Ｌ２＞Ｌ３＋Ｌ４
しかも、第２、第３軸間距離Ｌ２，Ｌ３が第１、第４軸間距離Ｌ１，Ｌ４より大きい距離に設定されている。また、扉３が閉位置に位置しているときには、第１、第２回動軸４５，４６間の前後方向及び上下方向の距離が、それぞれ第３、第４回動軸４７，４８の前後方向及び上下方向の距離より長くなっている。さらに、扉３が閉位置に位置しているときには、第１回動軸４５が第３回動軸４７より若干後方に位置し、第２回動軸４６が第４回動軸４８より若干後方に位置している。
【００２８】
上記構成の扉開閉装置４によって筐体２に扉３を連結した場合には、図１〜図６に示すように、扉３が閉位置から開位置に向かって移動するのにしたがって第３回動軸４７及び第４回動軸４８より大きく前方へ移動する。換言すれば、第３回動軸４７と第４回動軸４８との間の前後方向の距離が、扉３の閉位置から開位置への移動に伴って大きくなる。したがって、扉３は、閉位置から開位置側へ回動するのに伴って、筐体２の下端側から上端側へ向かうにしたがって筐体２の前面２ａから前方へ離間するように傾斜させられる。
【００２９】
扉３がさらに開位置側へ移動して図４に示す所定の中間位置に達すると、第２、第４及び第３回動軸４６，４８，４７が一直線上に並ぶ。扉３が閉位置から中間位置まで移動する間、扉３の上端部は前方へ移動しつつ上方へ移動する。しかし、その後は、扉３が開位置側へさらに移動すると、第４回動軸４８が第２回動軸４６と第３回動軸４７とを結ぶ線より第１回動軸４５側に位置するようになり、扉３の上端部は、扉３の開位置側へ移動に伴って前方へ移動しつつ下方へ移動する。この結果、第１、第２リンク４３，４４の一定の回動角度に対する扉３の傾斜角度の増加割合が大きくなる。したがって、扉３が開位置に達したときの扉３の傾斜角度を大きくすることができる。
【００３０】
扉３が閉位置側から開位置近傍まで移動すると、扉３はその自重及びガススプリング７の付勢力によって高速で開位置側へ移動しようとする。しかるに、扉３が開位置の所定の距離だけ手前の位置に達すると、図４に示すように、シリンダ１２ａが第２リンク４４の第２当接部４４ａに突き当たる。これにより、第１及び第２リンク４４の接近移動速度が低速に抑えられ、それらの回動速度が低速に抑えられる。この結果、扉３の開位置側への移動速度を低速に抑えられる。
【００３１】
開位置に移動した扉３は、上記と逆の手順で閉位置まで戻すことができる。ここで、扉３が閉位置近傍まで移動すると、その自重及びガススプリング７の付勢力によって高速で閉位置側へ移動しようとする。しかるに、扉３が閉位置の所定の距離だけ手前の位置に達すると、図１に示すように、シリンダ１２ａが筐体側取付部材４１の第１当接部４１ａに突き当たる。これにより、第１リンク４３の回動速度が低速に抑えられ、ひいては扉３の閉位置側への移動速度が低速に抑えられる。
【００３２】
なお、この発明は、上記の実施の形態に限定されるものでなく、その要旨を逸脱しない範囲において適宜変更可能である。
例えば、上記の実施の形態においては、第１軸間距離Ｌ１と第４軸間距離Ｌ２が互いに異なる距離に設定されるとともに、第２軸間距離Ｌ２と第３軸間距離Ｌ３とが互いに異なる距離に設定されているが、それらの距離どうしを互いに同一距離に設定してもよい。つまり、四節リンク機構Ｒに代えて平行リンク機構を用いてもよい。
また、ダンパとしては、ダンパ機構１２に代えて、単独の部材からなるダンパを用いてもよい。例えば、コイルばねやゴム等の弾性材からなる部材をダンパとして用いることも可能である。
【図面の簡単な説明】
【００３３】
【図１】この発明に係る扉開閉装置が用いられた収容装置を、扉が閉位置に位置した状態で示す側断面図である。
【図２】同収容装置を、第２リンクの二つの回動軸が同一高さに位置した状態で示す一部省略側断面図である。
【図３】同収容装置を、第１リンクの二つの回動軸が同一高さに位置した状態で示す一部省略側断面図である。
【図４】同収容装置を、第２のリンクが思案点に位置した状態で示す一部省略側断面図である。
【図５】同収容装置を、扉が開位置に位置した状態で示す側断面図である。
【図６】同収容装置を、扉が閉位置から開位置まで移動する動きを示す側断面図である。
【図７】この発明に係る扉開閉装置を示す斜視図である。
【図８】同扉開閉装置を、連結具を外した状態で示す斜視図である。
【図９】同扉開閉装置を、カバーを取り外した状態で示す斜視図である。
【図１０】同扉開閉装置の筺体側取付部材、第１リンク及び第２リンクを分解した状態で示す斜視図である。
【図１１】同扉開閉装置の補強部材及びカバーを分解した状態で示す斜視図である。
【図１２】同扉開閉装置の第１リンクとダンパとを示す分解斜視図である。
【符号の説明】
【００３４】
２  筐体
２ｂ  開口部
３  扉
４  扉開閉装置
１２  ダンパ機構（ダンパ）
４１  筐体側取付部材
４１ａ  第１当接部
４２  扉側取付部材
４３  第１リンク
４４  第２リンク
４４ａ  第２当接部
【図１】
0005150208.tif 000002
【図２】
0005150208.tif 000003
【図３】
0005150208.tif 000004
【図４】
0005150208.tif 000005
【図５】
0005150208.tif 000006
【図６】
0005150208.tif 000007
【図７】
0005150208.tif 000008
【図８】
0005150208.tif 000009
【図９】
0005150208.tif 000010
【図１０】
0005150208.tif 000011
【図１１】
0005150208.tif 000012
【図１２】
0005150208.tif 000013